(57)【要約】【課題】精度の高いモータ制御を必要とせず，刷り出し時の損紙を削減することのできるオフセット印刷機の印刷速度制御方法を提供する。【解決手段】オフセット輪転機１の制御装置１０に，昇速によって生じるテンション変動が見当不良にならない範囲に収まる第１の昇速度を記憶させておき，所定の操作がなされると，制御装置１０は，オフセット輪転機１の印刷速度が第１の昇速度で昇速するようにオフセット輪転機１のモータ１８を制御することを特徴とする。【選択図】図２
2011235611.tif 000002
【特許請求の範囲】
【請求項１】
昇速によって生じるテンション変動が見当不良にならない範囲に収まる昇速度を制御装置に記憶させ，所定の操作がなされると，前記制御装置が，オフセット輪転機の印刷速度が前記昇速度で昇速するように，オフセット輪転機のモータを制御することを特徴とする，オフセット印刷機における印刷速度制御方法。
【請求項２】
前記制御装置が記憶している前記昇速度を０．５ｍ／秒とすることを特徴とする，請求項１に記載のオフセット輪転機の印刷速度制御方法。
【請求項３】
湿し水を供給する水元ローラの回転量とオフセット印刷機の印刷速度の関係を印刷物の色調が合うように定めた追従カーブを前記制御装置に記憶させておき、前記制御装置が，前記水元ローラの回転量をこの前記追従カーブに従い制御するようにしたことを特徴とする，請求項１又は請求項２に記載のオフセット輪転機の印刷速度制御方法。
【請求項４】
昇速によって生じるテンション変動が見当不良にならない範囲に収まる昇速度を記憶し，所定の操作がなされると，オフセット輪転機の印刷速度が前記昇速度で昇速するように，オフセット輪転機のモータを制御することを特徴とする，オフセット印刷機の制御装置。
【請求項５】
前記昇速度を０．５ｍ／秒とすることを特徴とする，請求項４に記載のオフセット輪転機の制御装置。
【請求項６】
湿し水を供給する水元ローラの回転量とオフセット印刷機の印刷速度の関係を印刷物の色調が合うように定めた追従カーブを記憶し、前記水元ローラの回転量をこの前記追従カーブに従い制御することを特徴とする，請求項４又は請求項５に記載のオフセット輪転機の制御装置。
【請求項７】
オフセット輪転機にセットされた運転速度まで，オフセット輪転機の印刷速度を昇速させることを特徴とする，請求項４から請求項６のいずれか一つに記載のオフセット輪転機の制御装置。
【発明の詳細な説明】
【技術分野】
【０００１】
本発明は，刷り出し時の損紙を削減することを目的として，オフセット印刷機の速度を制御するための技術に関する。
【背景技術】
【０００２】
顧客嗜好の多様化を受けて，印刷会社が受注する印刷物のロットは小ロットが増え，印刷会社では小ロット印刷への対応に迫られている。小ロット印刷において解決しなければならない問題として，品目切替え時間の短時間化なども挙げられるが，運転開始時や，機械停止後の再運転時などに発生する刷り出し時の損紙の削減も，小ロット印刷において解決しなければならない問題の一つである。
【０００３】
印刷物のロット数に係わらず，運転開始時や，機械停止後の再運転時などには，刷り出し時の損紙が発生し，小ロット印刷の場合，印刷で使用する総用紙数に対する刷り出し時の損紙数の比率は大きくなってしまい，刷り出し時の損紙を削減する対策を施さないと，刷り出し時の損紙数にかかる費用が嵩み利益率が低下してしまう。
【０００４】
オフセット印刷における刷り出し時の損紙を削減する一つの手法として，用紙の見当，印刷濃度，断裁位置のずれがいずれも許容範囲内に収まるだけの限定された変速幅又は変速時間だけ変速運転を行う変速運転と、フィードバック制御により見当，印刷濃度，断裁位置を所定のものに収束制御しうる微小変速度運転或いは一定速度運転を行う安定速度運転とを、交互に繰り返して、目標速度まで階段状に変速する印刷機の変速制御方法が特許文献１で既に開示されている。
【０００５】
しかしながら，特許文献１で開示されている手法は，変速運転と安定速度運転とを交互に繰り返して、オフセット輪転機の印刷速度を目標速度まで階段状に変速させるようにする発明で，特許文献２に記載されているように，オフセット輪転機に精度の高いモータ制御が必要とされていた。
【先行技術文献】
【特許文献】
【０００６】
【特許文献１】特開２００３−４８３０９号公報
【特許文献２】特開２００３−１５４６３４号公報
【発明の概要】
【発明が解決しようとする課題】
【０００７】
そこで，本発明は，オフセット輪転機に精度の高いモータ制御を必要とせず，刷り出し時の損紙を削減することのできるオフセット印刷機の印刷速度制御方法及び制御装置を提供することを目的とする。
【課題を解決するための手段】
【０００８】
上述した課題を解決する第１の発明は，オフセット輪転機における印刷速度制御方法で，第１の発明においては，オフセット輪転機の制御装置に，昇速によって生じるテンション変動が見当不良にならない範囲に収まる昇速度を記憶させておき，所定の操作がなされると，前記制御装置が，オフセット輪転機の印刷速度が前記昇速度で昇速するようにオフセット輪転機のモータを制御することを特徴とする。
【０００９】
昇速時に発生する見当不良は，オフセット輪転機の印刷速度の昇速によって発生するテンション変動に起因しているため，オフセット輪転機の印刷速度を昇速させた時のテンション変動が見当不良にならない範囲に収まる前記昇速度を設定しておき，オフセット輪転機の印刷速度を前記昇速度で昇速させれば，昇速中における見当不良を無くすことができるようになる。
【００１０】
昇速中における見当不良を無くすことができれば，低速の印刷速度で見当・色合わせが行え，刷り出し時の損紙を低減することができる。また，オフセット輪転機の印刷速度を前記昇速度で昇速させれば，オフセット輪転機の印刷速度を階段状に昇速させる必要はなく，オフセット輪転機に精度の高いモータ制御を必要しない。
【００１１】
見当不良にならないテンション変動の範囲の目安としては給紙部のテンション変動が±０．１ｋｇ以下であればよく，ＵＶ硬化型のインキを利用するビジネスフォームを印刷では，昇速度を０．５ｍ／秒とすると，オフセット輪転機の印刷速度を昇速させた時の給紙部のテンション変動を±０．１ｋｇ以下に収めることができるようになる。
【００１２】
また，湿し水を利用するオフセット印刷においては，湿し水が不足して昇速中に色調不良が発生する場合があるため，このような場合は，湿し水を供給する水元ローラの回転量とオフセット印刷機の印刷速度の関係を印刷物の色調が合うように定めた追従カーブを前記制御装置に記憶させておき、前記制御装置が，前記水元ローラの回転量をこの前記追従カーブに従い制御するようにするとよい。
【００１３】
上述した第１の発明を実施するために必要なる第２の発明は，昇速によって生じるテンション変動が見当不良にならない範囲に収まる昇速度を記憶し，所定の操作がなされると，オフセット輪転機の印刷速度が前記昇速度で昇速するようにオフセット輪転機のモータを制御する制御装置である。
【００１４】
第２の発明においても，ＵＶ硬化型のインキを利用するビジネスフォームを印刷では，前記昇速度を０．５ｍ／秒とするとよく，また，湿し水を利用するオフセット印刷においては，湿し水の送り量に関係する水元ローラの回転量と印刷速度との追従カーブを印刷物の色調が合うように設定して前記制御装置に記憶させておき、前記制御装置が，前記水元ローラの回転量をこの追従カーブに従い制御するようにするとよい。更に，前記制御装置が，オフセット輪転機に設定された運転速度まで，オフセット輪転機の印刷速度を昇速するようにすると，オフセット輪転機の操作性を高めることができる。
【発明の効果】
【００１５】
このように，上述した本発明によれば，オフセット輪転機に精度の高いモータ制御を必要とせず，刷り出し時の損紙を削減することのできるオフセット印刷機の印刷速度制御方法及び制御装置を提供できる。
【図面の簡単な説明】
【００１６】
【図１】本実施形態に係わるオフセット輪転機を説明する図。
【図２】刷り出し時におけるオフセット印刷機の印刷速度を説明する図。
【図３】本発明の効果を説明する図。
【発明を実施するための形態】
【００１７】
ここから，本願発明の実施形態について，本願発明の技術分野に係わる当業者が，本願発明の内容を理解し，本願発明を実施できる程度に説明する。
【００１８】
図１は，本実施形態に係わるオフセット輪転機１を説明する図である。本実施形態に係わるオフセット輪転機１は，ビジネスフォームを印刷するための印刷機で，オフセット輪転機１には，ロール状の印刷用紙がセットされる給紙装置１１と，印刷用紙を印刷ユニット１４に送り込むインフィード装置１３と，モータ１８が接続されたシャフト１９で駆動する４つの印刷ユニット１４と，印刷ユニット１４で印刷されたインキを硬化させるインキ硬化装置１５と，インキが硬化した後の印刷用紙をビジネスフォームに折り加工する折り加工装置１６と，オペレータがオフセット輪転機１を操作するためのボタン・スイッチ類が設けられた操作部１７と，少なくとも印刷ユニット１４を駆動するシャフト１９を回転させるモータ１８を制御する制御装置１０が備えられ，給紙装置１１には，給紙テンションを測定するためのピックアップロール１２が設けられている。
【００１９】
オフセット輪転機１の操作部１７には，昇速によって生じるテンション変動が見当不良にならない範囲に収まる第１の昇速度でオフセット輪転機１の印刷速度を昇速する第１の昇速ボタンと，上述した第１の昇速度よりも速い第２の昇速度でオフセット輪転機１の印刷速度を昇速する第２の昇速ボタンが備えられている。
【００２０】
また，本実施形態に係わるオフセット輪転機１の制御装置１０には，昇速によって生じるテンション変動が見当不良にならない範囲に収まる第１の昇速度と，上述した第１の昇速度よりも速い第２の昇速度が記憶され，印刷ユニット１４を駆動するシャフト１９を回転させるモータ１８を制御するためのプログラムとして，第１の昇速ボタンが押されると，オフセット輪転機１の印刷速度を第１の昇速度で昇速させ，更に，第２の昇速ボタンが押されると，オフセット輪転機１の印刷速度を第２の昇速度で昇速させるようにモータ１８を制御するプログラムが実装されている。
【００２１】
昇速によって生じるテンション変動が見当不良にならない範囲に収まる第１の昇速度はテストにより決定される。例えば，ビジネスフォームを印刷する場合，第１の昇速度を０．５ｍ／秒にすると，給紙装置１１のピックアップロール１２におけるテンション変動を±０．１ｋｇ以下に収めることができる。
【００２２】
昇速時に発生する見当不良は，オフセット輪転機１の印刷速度の昇速によって発生するテンション変動に起因しているため，給紙装置１１のピックアップロール１２におけるテンション変動が±０．１ｋｇ以下に収まれば，昇速中における見当不良を無くすことができ，昇速中の印刷物も正紙として扱うことができるようになる。
【００２３】
また，オフセット輪転機１の印刷速度を第１の昇速度で昇速させれば，オフセット輪転機の１印刷速度を階段状に昇速させる必要はなく，オフセット輪転機１に精度の高いモータ制御を必要しない。
【００２４】
図２は，刷り出し時におけるオフセット印刷機１の印刷速度を説明する図である。オフセット輪転機１にてオフセット印刷を開始する際，オフセット輪転機１のオペレータは，第２の昇速ボタンを押して，オフセット輪転機１の印刷速度を停止状態から見当・色を調整する印刷速度である準備速度まで昇速させる。
【００２５】
正紙を印刷する印刷速度である運転速度は，印刷物が不良にならない範囲で任意に設定することができ，見当・色などを調整する印刷速度である準備速度は，運転速度よりも低速であれば任意に設定することができる。準備速度を運転速度よりも低速で任意に設定することで，刷り出し時の損紙を低減することができる。例えば，ビジネスフォームの印刷では，ＵＶ硬化型のインクを使用するケースが多く、ＵＶ照射装置がインキ硬化装置１５としてオフセット輪転機１に搭載されるため，ＵＶ照射装置の熱などによる印刷用紙の収縮などの影響を受けない程度の印刷速度として，１００ｍ／分程度が準備速度の目安になる。
【００２６】
オフセット印刷機１の印刷速度が準備速度になると，オペレータは，見当・色などを調整して印刷物が見本に合うようにした後，第１の昇速ボタンを押して，オフセット輪転機１の印刷速度を，正紙を印刷する印刷速度である運転速度までリニアに昇速させる。
【００２７】
そして，オフセット輪転機の印刷速度が運転速度まで昇速すると，オペレータは，第１の昇速ボタンを話して，オフセット輪転機１の昇速を停止し，運転速度が保たれた状態で印刷物が印刷される。
【００２８】
図３は，本発明の効果を説明する図で，図３（ａ）は，本実施形態における刷り出し時の損紙を示し，図３（ｂ）は，運転速度で印刷物の見当・色調整を行うときの損紙を示している。
【００２９】
図３（ａ）で図示したように，昇速によって生じるテンション変動が見当不良にならない範囲に収まる第１の昇速度を用いて昇速させることで，昇速中における見当不良を無くすことができるため，本実施形態における刷り出し時の損紙は，図３（ａ）の網掛け部２ａで示したように，停止状態から準備速度まで昇速させるまでに必要な用紙と，準備速度における見当・色調整に必要な用紙の総和になる。
【００３０】
運転速度で印刷物の見当・色調整を行うときの損紙は，図３（ｂ）の網掛け部２ｂで示したように，停止状態から運転速度まで昇速させるまでに必要な用紙と，正紙印刷速度における見当・色調整に必要な用紙の総和になる。
【００３１】
図３（ａ）の網掛け部と図３（ｂ）の網掛け部を比較すればわかるように，本実施形態では，低速の準備速度で見当・色調整が行え，かつ，昇速中の印刷物も正紙として扱えるため，図３（ａ）の網掛け部２ａの面積は，図３（ｂ）の網掛け部２ｂの面積はよりも小さく，刷り出し時の損紙は低減される。
【００３２】
なお、本発明は、これまで説明した実施の形態に限定されることなく、種々の変形や変更が可能である。
【００３３】
例えば，上述した実施形態では，シャフト駆動型のオフセット印刷機について説明しているが，各印刷ユニットを単独で駆動するセクショナル駆動型のオフセット印刷機にも，本発明は適用できる。
【００３４】
更に，上述した実施形態では，ＵＶ硬化型のインキを利用する場合について述べているが，湿し水を利用するオフセット輪転機では，印刷速度に応じて湿し水の供給量が変動すると，昇速によって色調も変動してしまう。
【００３５】
そこで，湿し水を利用するオフセット輪転機では，湿し水の送り量に関係する水元ローラの回転量と印刷速度との追従カーブを印刷物の色調が合うように予め求め，この追従カーブを制御装置に記憶させておき、制御装置が，水元ローラの回転量をこの追従カーブに従い制御するようにするとよい。
【００３６】
更に，オフセット輪転機の操作パネルに運転速度を設定するためのスイッチを設け，所定のボタンが押されると，オフセット輪転機の印刷速度を準備速度から運転速度まで昇速するようにすると，オフセット輪転機の操作性を高めることができる
【符号の説明】
【００３７】
１    オフセット輪転機
１０  制御装置
１１  給紙装置
１２  ピックアップロール
１４  印刷ユニット
１７  操作部
１８  モータ
１９  シャフト
【図１】
2011235611.tif 000003
【図２】
2011235611.tif 000004
【図３】
2011235611.tif 000005